(57)【要約】【課題】フィルタープレスを大型化することなく、その処理能力を高める。【解決手段】中央部に設けられた固定体１２の両側に濾板２４，２６を配置すると共に、濾板２４，２６の両側に、それらを固定体１２へ向けて押圧するプレス３６，３８を設ける。固定体１２には、各濾板２４，２６の間の圧搾室へスラリーを供給するためのスラリー供給口１４，１６および配管１８，２０が設けられ、ポンプ２２，２４からスラリー供給口１４，１６へ圧送されたスラリーは、配管１８，２０および供給通路３０，３２を経て各圧搾室へ打ち込まれる。【選択図】      図１
2004330125.tif 000002
【特許請求の範囲】
【請求項１】
複数の濾板と、これらの濾板を互いに押し付けるための押圧手段とを備え、固形成分を含んだ液体を前記互いに押し付けられた濾板の間へ打ち込むことにより、当該液体を水分と固形物とに分離するためのフィルタープレスであって、
前記複数の濾板を固定体の両側に２つの濾板群に分けて配置すると共に、前記押圧手段を、各濾板群が前記固定体に向けて押し付けられるように前記濾板の両側の２箇所に設けたことを特徴とするフィルタープレス。
【請求項２】
請求項１記載のフィルタープレスにおいて、前記固定体に、前記２つの濾板群へ夫々独立に前記液体を供給するための２系統の供給手段を設けたことを特徴とするフィルタープレス。
【発明の詳細な説明】
【０００１】
【発明の属する技術分野】
本発明は、地盤掘削の際に排出される泥水（スラリー）などの、固形成分を含んだ液体を水分と固形物に分離するフィルタープレスに関する。
【０００２】
【従来の技術】
従来より、スラリーを処理して水分と固形物に分離するための装置として、フィルタープレスが一般的に用いられている（例えば特許文献１を参照）。図３にフィルタープレスの構成を概略的に示す。同図に示すように、従来のフィルタープレス１は、濾布を有する多数の濾板２を備えている。濾板２はその厚さ方向（図３における左右方向）に移動できるように支持されている。これら濾板２の一端側にはスラリー打込口３を備えた固定フレーム４が設けられ、また、他端側には例えば油圧式等のプレス５が設けられている。スラリー打込口３にはポンプ６が接続されている。
【０００３】
スラリーを処理する場合、先ず、プレス５により濾板２を固定フレーム４に向けて押し付ける。この状態で、ポンプ６を作動させてスラリー打込口３へスラリーを打ち込む。打ち込まれたスラリーは、その水圧によって濾板２の間に形成された密閉空間（圧搾室）内で圧搾され、水と固形物（土）とに分離される。分離された水は不図示の排水管から排出されて再利用に供され、また、固形物は上記圧搾室内で固められて脱水ケーキとなる。なお、泥水の圧搾をスラリーの水圧ではなく、空気圧を別途供給することにより行う場合もある。スラリーの圧搾が終了すると、図４に示すように、濾板２を１枚ずつ移動させて開枠することにより、濾板２の間に形成された脱水ケーキを順次ベルトコンベア７へ落下させ、フィルタープレス１から搬出させる。
【０００４】
【特許文献１】
特開２００１−２７６５１０号公報
【０００５】
【発明が解決しようとする課題】
上述のように、濾板２を開枠する際には、多数の濾板２を一枚一枚移動させなければならないので、開枠作業に時間が掛かってしまう。このため、一定時間当りにフィルタープレス１で処理することが可能なスラリーの量が少なくなってしまい、その分、処理容量の大きい大型のフィルタープレスを用いることが必要となる。しかし、大型のフィルタープレスは高価になるうえ、作業スペースが狭い工事現場では大型のフィルタープレスを設置すること自体が不可能な場合も多い。
【０００６】
本発明は上記の点に鑑みてなされたものであり、フィルタープレスを大型化することなく、その処理能力を向上できるようにすることを目的とする。
【０００７】
【課題を解決するための手段】
上記の目的を達成するため、請求項１に記載された発明は、複数の濾板と、これらの濾板を互いに押し付けるための押圧手段とを備え、固形成分を含んだ液体を前記互いに押し付けられた濾板の間へ打ち込むことにより当該液体を水分と固形物とに分離するためのフィルタープレスであって、
前記複数の濾板を固定体の両側に２つの濾板群に分けて配置すると共に、前記押圧手段を、各濾板群が前記固定体に向けて押し付けられるように前記濾板の両側の２箇所に設けたことを特徴とする。
【０００８】
本発明によれば、複数の濾板を固定体の両側に２つの濾板群に分けて配置し、各濾板群を両側から固定体に向けて押し付けるようにしたので、開枠作業を両側の濾板群について並行して行える。このため、開枠に要する時間が短くなることで、一定量の上記液体の処理に要する時間も短くなる。したがって、本発明によれば、フィルタープレスを大型化することなく、その処理能力を向上させることができる。
【０００９】
また、請求項２に記載された発明は、請求項１記載のフィルタープレスにおいて、前記固定体に、前記２つの濾板群へ夫々独立に前記液体を供給するための２系統の供給手段を設けたことを特徴とする。
【００１０】
本発明によれば、固定体からその両側の濾板群へ独立に処理対象である液体を打ち込むことができるので、打ち込みにかかる時間も短縮できる。したがって、フィルタープレスの処理能力を更に向上させることができる。
【００１１】
【発明の実施の形態】
図１は、本発明の一実施形態であるフィルタープレス１０の概略構成図である。同図に示すように、フィルタープレス１０は、その中央部に固定された固定体１２を備えている。固定体１２には、２つのスラリー打込口１４，１６と、これらスラリー打込口１４，１６に夫々接続された２系統の配管１８，２０とが設けられている。これらスラリー打込口１４，１６および配管１８，２０が特許請求の範囲の「２系統の供給手段」に相当する。各スラリー打込口１４，１６には、夫々、ポンプ２２，２４からスラリーが圧送される。
【００１２】
固定体１２の両側には、夫々、複数枚の濾板２６，２８が設けられており、夫々が濾板群２６Ａ，２８Ａを構成している。各濾板２６，２８は不図示のガイド部材により、それらの厚さ方向（図１の左右方向）に移動可能に支持されている。また、濾板２６，２８の中心部には、供給通路３０，３２が貫通しており、スラリー打込口１４，１６から配管１８，２０へ圧送されたスラリーが、夫々、供給通路３０，３２を経由して、各濾板２６，２８の間へ打ち込まれるようになっている。
【００１３】
濾板群２６Ａ，２８Ａの両側端部には、夫々、移動台３３，３４が設けられている。この移動台３３，３４も濾板２６，２８と同様に図中左右方向に移動可能に支持されている。移動台３３，３４の背部には夫々プレス３６，３８が設けられている。プレス３６，３８は、例えば油圧式に駆動されることにより移動台３３，３４を中央の固定体１２へ向けて押圧する。
【００１４】
濾板群２６Ａ，２８Ａの下方にはベルトコンベア４０が設けられている。後述するように、ベルトコンベア４０は、スラリーの圧搾により形成された脱水ケーキを搬出する。
【００１５】
フィルタープレス１０でスラリーを処理する場合、先ず、プレス３６，３８を作動させて、移動台３３，３４により濾板群２６Ａ，２８Ａを固定体１２に向けて押し付ける。これにより、各濾板２６，２８どうしが互いに押し付けられて、各濾板２６，２８の間に密閉空間（圧搾室）が形成される。この状態で、ポンプ２２，２４によりスラリーが、夫々、スラリー打込口１４，１６から配管１８，２０および供給通路３０，３２を経て各圧搾室へ打ち込まれる。圧搾室へ打ち込まれたスラリーはその水圧により水と固形物（土）に分離される。分離された水は不図示の排水部から排出され、固形物は圧搾室内で固められて脱水ケーキとなる。なお、スラリーの圧搾をその水圧で行うのではなく、空気圧を別途供給することにより行う構成としてもよい。
【００１６】
こうして脱水ケーキが形成された後、濾板群２６Ａ，２８Ａの開枠作業を行う。開枠作業は、図２に示すように、プレス３６、３８を停止させた後、移動台３３，３４を左右両側に移動させ、濾板２６，２８を順次外側へ移動させることにより行う。このような開枠作業により、各濾板２６，２８の間の圧搾室が開かれて、圧搾室に形成された脱水ケーキがベルトコンベア４０へ落下し、ベルトコンベア４０によりフィルタープレス１０から搬出される。
【００１７】
このように、本実施形態のフィルタープレス１０では、濾板が固定体１２の両側に２つの濾板群２６Ａ，２８Ａに分けて配置されるので、これら濾板群２６Ａ，２８Ａについて開枠作業を並行して行うことができる。このため、開枠を片側からしか行うことができなかった従来のフィルタープレスに比べて、約半分の時間で開枠作業を終えることができる。
【００１８】
また、本実施形態のフィルタープレス１０では、中央部の固定体１２に設けられたスラリー打込口１４，１６から、左右の濾板群２６Ａ，２８Ａへ並行してスラリーを打ち込むことができる。このため、各ポンプ２２，２４が圧送すべきスラリーの量が従来に比べて半減し、これにより、スラリーの打込時間を短縮することもできる。
【００１９】
実際に、同じ容量（容量０．０７ｍ３の圧搾室が１００室）を有する本実施形態のフィルタープレス１０と、従来のフィルタープレスとでスラリー処理のサイクルタイムを比較したところ、表１に示す結果となった。
【００２０】
【表１】
2004330125.tif 000003
【００２１】
この比較結果から、本実施形態のフィルタープレス１０によれば、スラリー処理時間の大部分を占めるスラリー打込と開枠の時間を、夫々、３０分から２０分、２０分から１０分に短縮でき、これにより、スラリー処理のサイクルタイムを５５分から３５分へ大幅に短縮できることがわかる。
【００２２】
このように、本実施形態のフィルタープレス１０によれば、同じ規模の従来のフィルタープレスと比べて、スラリー処理のサイクルタイムを短縮できるので、単位時間あたりの処理能力を向上させることができる。換言すれば、同程度の処理能力を従来に比べて小型のフィルタープレスで得ることができるので、フィルタープレスの設置面積が小さく済み、作業スペースの狭い工事現場でも必要な処理能力を満足するフィルタープレスを設置することが可能となる。
【００２３】
なお、上記実施形態では、処理対象である液体がスラリーである場合について説明したが、本発明はこれに限らず、各種薬品、塗料、果汁、その他の固形成分を含んだ各種液体を処理する場合にも適用が可能である。
【００２４】
【発明の効果】
本発明によれば、フィルタープレスを大型化することなく、その処理能力を高めることができる。
【図面の簡単な説明】
【図１】本発明の一実施形態であるフィルタープレスの概略構成図である。
【図２】本実施形態のフィルタープレスにおいて開枠を行っている状態を示す図である。
【図３】従来のフィルタープレスの概略構成図である。
【図４】従来のフィルタープレスにおいて開枠を行っている状態を示す図である。
【符号の説明】
１０  フィルタープレス
１２  固定体
１４，１６  スラリー打込口
１８，２０  配管
２２，２４  ポンプ
２６，２８  濾板
２６Ａ，２８Ａ  濾板群
３０，３２  供給通路
３３，３４  移動台
３６，３８  プレス
４０  ベルトコンベア
【図１】
2004330125.tif 000004
【図２】
2004330125.tif 000005
【図３】
2004330125.tif 000006
【図４】
2004330125.tif 000007